(57)【要約】【課題】釣り人が擬餌自体に変更・加工を施すことなく、擬餌が生きているかの如く海中を遊泳している状態を創出する擬餌を提案する。【解決手段】擬餌１は、小魚等の生き餌の形態に模されたエギ本体１０と、エギ本体１０の先端に取り付けられたおもり２０と、エギ本体１０の後端から延出して取り付けられた傘針３０と、を有する。エギ１０は、先端から後端にかけて湾曲形状を呈しており、湾曲の膨らみを先端寄りにすることでエギ本体１０の重心を前寄りにし、収容穴１１を下部側に形成して重量部２２を収容することで重心を先端下部寄りにしている。おもり２０は、釣糸を取り付けるリング部２１と、鉛で形成された重量部２２と、で構成される。おもりを構成する重量部はエギ本体先端に収容されている。擬餌１は、エギ本体１０，おもり２０，傘針３０の３者のバランスによって、海水中において潜行姿勢を維持しながら沈降することができる。【選択図】図１
2020061951.tif 000002
【特許請求の範囲】
【請求項１】
エギ本体先端に取り付けられたおもりと、エギ本体後端から延出して取り付けられた傘針と、を有する擬餌であって、
前記おもりは、エギ本体先端から延出したリング部と、エギ本体先端に収容された重量部と、から構成されていることを特徴とする擬餌。
【請求項２】
エギ本体先端には前記重量部を収容する収容穴が形成され、
前記収容穴及び前記重量部は、両者に凹凸条又は凸条が対向して形成されていることを特徴とする請求項１記載の擬餌。
【請求項３】
前記重量部は、エギ本体先端から突出した突出部を有し、
前記突出部の先端は略三角形状であることを特徴とする請求項１又は２記載の擬餌。
【請求項４】
前記おもりは、前記重量部に対して斜め上方となる姿勢で前記リング部が位置決めされていることを特徴とする請求項１から３のいずれか記載の擬餌。
【請求項５】
道糸に引張される前記おもりと前記傘針と前記エギ本体との重量バランスにより潜行姿勢で沈降可能な請求項１から４のいずれか記載の擬餌。
【発明の詳細な説明】
【技術分野】
【０００１】
本発明は、イカ釣り等に使用する擬餌に関し、海底に対して前傾する潜行姿勢を保ちながら沈降可能なものに関する。
【背景技術】
【０００２】
従来、擬餌としては、本体が生き餌の形態に模され、バランス調整用の重りを備えると共に、先端に釣糸取付部が設けられ、後端に傘針が設けられたものが知られている。
【０００３】
例えば、特許文献１に記載の擬似餌は、本体が生き餌の形態に模され、バランス調整用の重りを備えており、先端に釣糸取付部が形成され、後端に傘針が設けられた擬似餌において、本体が、軟質材料で形成される湾曲自在の曲げ部材を備え、この曲げ部材によって本体が変形自在に形成されたものである。これにより、多種多様な曳き方や動き方を可能にしている。
【先行技術文献】
【特許文献】
【０００４】
【特許文献１】実開平６−８４８５４号公報
【発明の概要】
【発明が解決しようとする課題】
【０００５】
しかしながら、従来のものは、釣り人のカンやコツによって、重りとしての鉛を適宜カットしたり、本体自体の形状に変化を与えたりすることで、入水角度や沈み速度等の調整を図るものである。
【０００６】
一般に餌木と呼ばれる擬餌は、イカ釣りに使用されるものであるが、生き餌の形態に模された本体が生きているかの如く海中を遊泳しているのが好ましく、これを釣り人の操作によって、あたかも餌が逃げ惑っているかのようなアクションを起こしたり（シャクリ調子）、ゆっくり沈ませて餌が泳ぐ位の早さで泳がせたり（投釣り調子）、餌を水面に浮かせ、曳くと沈めたり（曳き調子）、という動作を実現するには釣り人のカンやコツといった熟練した技能を要する。
【０００７】
本発明は、このような課題に鑑みてなされたものであり、釣り人が擬餌自体に適宜変更・加工を施すことなく、擬餌が生きているかの如く海中を遊泳している状態を創出することが可能な擬餌を提案する。
【課題を解決するための手段】
【０００８】
上記課題を解決するために、本発明は、以下のものを提供する。
【０００９】
（１）  エギ本体先端に取り付けられたおもりと、エギ本体後端から延出して取り付けられた傘針と、を有する擬餌であって、前記おもりは、エギ本体先端から延出したリング部と、エギ本体先端に収容された重量部と、から構成されていることを特徴とする擬餌。
【００１０】
本発明によれば、エギ本体におもりと傘針とを有して取り付けられており、おもりを構成するリング部はエギ本体先端から延出し、おもりを構成する重量部はエギ本体先端に収容されている。エギ本体先端に重量部を収容し、エギ本体後端に傘針を有し、釣糸に引張されるリング部は、エギ本体，傘針，おもりの３者のバランスによって、海水中において潜行姿勢を維持しながら沈降可能な擬餌を提供することができる。
【００１１】
特に、海水中における擬餌の姿勢は、両端に位置するおもり及び傘針の重量バランスが第１の要因であり、海底に対して前傾するようなおもりの位置が第２の要因であり、エギ本体に加わる重心の位置が第３の要因であり、その他に様々な要因を総合的に考慮することで決定される。
【００１２】
（２）  エギ本体先端には前記重量部を収容する収容穴が形成され、前記収容穴及び前記重量部は、両者に凹凸条又は凸条が対向して形成されていることを特徴とする擬餌。
【００１３】
本発明によれば、エギ本体先端に形成された収容穴及び収容穴に収容される重量部には凹凸条又は凸条が対向して形成されていることから、組立て時において凹凸条又は凸条が両者の装着をガイドするとともに、使用時において凹凸条又は凸条が収容穴からの重量部の抜けを防止する役割を果たすことができる。例えば、収容穴側に凸条が重量部側に凸条が形成されたり、凹凸条が複数個形成されたりと、凹凸条又は凸条は如何なる形成態様であってもよい。
【００１４】
（３）  前記重量部は、エギ本体先端から突出した突出部を有し、前記突出部の先端は略三角形状であることを特徴とする擬餌。
【００１５】
本発明によれば、エギ本体先端から突出した突出部の先端は略三角形状を呈することから、重量部が受ける水圧や海水の抵抗を軽減することで、エギ本体の動きが鈍くなりにくく、エギ本体が生きているかの如く海中を遊泳している姿を創出することができる。略三角形状は、頂点が鋭利であっても、丸みを帯びたものでもよく、Ｒ面、Ｃ面となってもよい。
【００１６】
（４）  前記おもりは、前記重量部に対して斜め上方となる姿勢で前記リング部が位置決めされていることを特徴とする擬餌。
【００１７】
本発明によれば、重量部の水平方向に対してリング部が斜め上方となる姿勢で位置決めされていることから、傘針にイカ等が掛かって擬餌を引き上げる際に掛かる負荷に対してイカ等が暴れる衝撃に強く、水平姿勢で位置決めされている場合よりも強度が強く、斜め上向きの姿勢で引き上げることでイカ等が針掛かりしやすいという効果を有する。
【００１８】
（５）  道糸に引張される前記おもりと前記傘針と前記エギ本体との重量バランスにより潜行姿勢で沈降可能な擬餌。
【００１９】
本発明によれば、エギ本体，傘針，道糸に引張されるおもりの３者の重量バランスによって、海水中において潜行姿勢を維持しながら沈降可能な擬餌を提供することができる。
【発明の効果】
【００２０】
以上、本発明の擬餌は、エギ本体，傘針，おもりの構成やバランスによって、潜行姿勢を維持しながら沈降可能である。
【図面の簡単な説明】
【００２１】
【図１】本発明の実施の形態に係る擬餌の全体構成を示す外観図。
【図２】擬餌のエギ本体を示す外観図であり、（Ａ）は正面図、（Ｂ）は底面図である。
【図３】擬餌のおもりを示す外観図であり、（Ａ）は正面図、（Ｂ）は底面図である。
【図４】擬餌のおもりの詳細を説明するための図であり、（Ａ−１）（Ｂ−１）は外観斜視図、（Ａ−２）（Ｂ−２）は中央縦断面図である。
【図５】擬餌のおもりの内部構成を説明するための図。
【図６】擬餌の傘針を示す外観図。
【図７】本発明の実施の形態に係る擬餌の底面を示す外観図。
【図８】Ａ領域の部分拡大図。
【図９】擬餌の使用状態を示す図。
【発明を実施するための最良の形態】
【００２２】
本実施形態に係る擬餌１は、図１に示すように、小魚や海老等の生き餌の形態に模されたエギ本体１０と、エギ本体１０の先端（頭部側）に取り付けられたおもり２０と、エギ本体１０の後端（尾部側）から延出して取り付けられた傘針３０と、を有し、全長約５０ｍｍ弱、幅約９ｍｍ弱の小型タイプである。なお、エギ本体１０には必要に応じて両側に魚目状の目玉模様（図示）やひれ等が設けられてもよい。
【００２３】
エギ本体１０は、先端から後端にかけて一体成形されており、図２に示すように、収容穴１１が先端の下部側に形成され、傘針３０との接続面が後端に形成されている。エギ１０は、先端から後端にかけて湾曲形状を呈しており、湾曲の膨らみを先端寄りにすることでエギ本体１０の重心を先端寄りに位置決めしている。また、収容穴１１をエギ本体１０の下部側に形成して重量部２２を収容することで先端下部寄りに重心を位置決めしている。収容穴１１は、矩形状の穴と矩形から突出した凸状の穴とが連続して形成されている。なお、エギ本体１０の後端は傘針３０との接着面である複数の凹凸条が形成されている。
【００２４】
おもり２０は、図３に示すように、釣糸を取り付けて接続されるリング部２１と、鉛で形成された重量部２２と、で構成され、エギ本体１０や傘針３０に比べて重い材料で形成される。リング部２１と重量部２２とを一体的に形成することで、重量部２２を先端寄りに位置させることができ、全体としてのバランスを先端寄りに位置決めして潜行姿勢をとりやすくすることができる。リング部２１と重量部２２とは一体に形成されてもよく、別体のものを一緒に鋳込んで固定することで形成されてもよい。重量部２２は、略直交する直角辺と鈍角を形成して交差する斜辺とで構成された四角形状を呈しており（図３（Ａ））、また、重量部２１は、矩形状と矩形から突出した凸状とで連続して形成されており（図３（Ｂ））、収容穴１１に適合する形状となっている。
【００２５】
おもり２０の底部は、図４に示すように、（Ａ−１）（Ａ−２）の平坦形状であっても、（Ｂ−１）（Ｂ−２）の略三角形状であってもよい。好ましくは、略三角形状とすることにより平坦形状に比べて水流の影響を軽減して、海中における自然な遊泳を実現することができる。
【００２６】
また、おもり２０は、図５に示すように、リング部２１と重量部２２とが一緒に鋳込むことで形成されており、リング部の１の円環が重量部２２から突出し、他の円環及び連結部分は重量部２２の内部に鋳込まれて収容されている。鋳込む際には、おもり２０は、重量部２２に対して斜め上方となる姿勢でリング部２１が位置決めされる。すなわち、重量部２２の取付方向（＝直角辺の水平方向）に対してリング部２１の取付方向となる円環中心線は斜め上方となる姿勢となっている。
【００２７】
傘針３０は、図６に示すように、折り曲げられてフック部を有する松葉針３１の直線部分に円筒のパイプ３２を挿入して全周にわたり針が構成されており、擬餌１に抱きついたイカを針掛かりさせるものである。複数本の松葉針３１がパイプ３２によって締結されて、松葉針３１の着脱を防止している。なお、傘針３０は複数段取り付けられてもよく、半周分の松葉針３１であってもよい。
【００２８】
擬餌１は、図７に示すように、収容穴１１に重量部２２が収容されており、接着剤等で固着されている。収容穴１１に重量部２２を収容する際には、収容穴１１に形成された凸条と重量部２２に形成された凸条とが適合するように位置決めすることで、凸条は取付方向をガイドする役割を果たす。また、この凸条は、取付方向以外の方向からの着脱を防止する役割を果たす。例えば、イカが傘針３０に掛かってイカを乗り上げるようにサオを引き上げる際は、エギ本体１０の先端上方向に強い力が働くこととなるが、重量部２２がエギ本体から抜け落ちないように、凸条をサオによる釣糸の引き上げ方向と平行とならない位置に形成している。例えば、リング部２１の取付方向及び重量部２２の取付方向と略平行とならない位置に形成している。
【００２９】
おもり２０の重量部２２は、エギ本体１０の下方に突出した状態で収容されており、その下方に突出部Ｌを有する。重量部２２の形状が図４（Ｂ−１）（Ｂ−２）に示す略三角形状を呈する場合には、突出部Ｌは、図８に示すように、（Ａ）の略三角形状である場合と、（Ｂ）の矩形の立上り形状に続いて略三角形状である場合と、がある。或いは、突出部Ｌは、エギ本体１０の先端寄りは図８（Ａ）の形状を呈し、先端から離れるに従って図８（Ｂ）の形状を呈しており、先端から離れるに従って立上り部が長くなるようにしてもよい。このように突出部Ｌの先端が面取りされていることにより、擬餌１は潜行姿勢を保ったまままっすぐに進みやすくなる。
【００３０】
図９は、擬餌の使用状態を示す図であり、海水中において擬餌１が釣糸に引張されつつも、潜行姿勢で沈降している状態を示している。
【符号の説明】
【００３１】
１…小型擬餌
１０…エギ本体（１１：収容穴）
２０…おもり（２１：リング部、２２：重量部）
３０…傘針（３１：松葉針、３２：パイプ）
Ｌ…突出部
【図１】
2020061951.tif 000003
【図２】
2020061951.tif 000004
【図３】
2020061951.tif 000005
【図４】
2020061951.tif 000006
【図５】
2020061951.tif 000007
【図６】
2020061951.tif 000008
【図７】
2020061951.tif 000009
【図８】
2020061951.tif 000010
【図９】
2020061951.tif 000011